【手続補正書】
【提出日】平成29年11月26日(2017.11.26)
【手続補正１】
【補正対象書類名】特許請求の範囲
【補正対象項目名】全文
【補正方法】変更
【補正の内容】
【特許請求の範囲】
【請求項１】
履物を構成し地面に接する部位を有するアウトソール部と、
このアウトソール部に着脱可能で足の甲を跨ぐ部位を有するアッパー部と、
前記着脱のために、前記アッパー部の周囲に弾性を有する材料から成る挿入片が複数形成され、
前記アウトソール部上面の中央に形成された凹みと、
前記アウトソール部の周囲から前記中央凹みに向かって前記アッパー部の装着が行われた状態における前記各挿入片の位置に前記各挿入片が挿入され貫通する挿入孔が形成され、
前記各挿入孔同士の間に前記アウトソール部の周囲からから内側に向かって、アッパー部が装着された際に各挿入片をつなぐ部分が嵌る溝が形成され
前記挿入片が前記中央凹みに向かって前記挿入孔に挿入されることにより前記アッパー部が前記アウトソール部に装着されることで着脱可能となることを特徴とする履物。
【請求項２】
請求項１記載の履物において、さらに
前記各挿入片に係止孔が開けられ
前記各挿入片が前記挿入孔を貫通した状態において、前記係止孔を係止できる位置で、前記アウトソール部上面の中央凹みの底に係止突起が形成されることを特徴とする履物。
【請求項３】
請求項１記載の履物において、さらに
前記各挿入片先端部に係止爪または、係止くびれが形成され
前記各挿入片が前記挿入孔を貫通した状態において、前記係止爪または、係止くびれを係止できる位置で、前記アウトソール部上面の中央凹みの底に係止受け部が形成されることを特徴とする履物。
【請求項４】
請求項１記載の履物おいて、さらに
前記アウトソール部上面に装着されるインソール部を有し、
前記各挿入片に係止孔が開けられ、
前記挿入片が前記挿入孔を貫通した状態において、前記係止孔と重なる位置で、前記アウトソール上面の中央凹みの底に嵌合孔が形成され、
前記アウトソール部に前記アッパー部および前記インソール部が装着された状態において、前記係止孔を貫通し前記嵌合孔に嵌合できる位置で前記インソール部に嵌合突起が形成されることを特徴とする履物。
【請求項５】
請求項１記載の履物おいて、さらに
前記アウトソール部上面に装着されるインソール部を有し、
前記各挿入片先端部に係止爪または、係止くびれが形成され、
前記アウトソール部に前記アッパー部および前記インソール部が装着された状態において、前記係止爪または、係止くびれを係止できる位置で前記インソール部に係止受け部が形成されることを特徴とする履物。
【請求項６】
請求項１記載の履物において、さらに
各挿入片先端部に係止爪が形成され、
前記挿入片が前記挿入孔に挿入される際に狭まり、貫通する際に広がる形状を有し、前記各挿入孔そのものが係止受け部となることを特徴とする履物。
【請求項７】
請求項１記載の履物において、
前記アウトソール部上面の中央に代えて、
前記アウトソール部裏面の中央に凹みが形成されされることで着脱可能となることを特徴とする履物。
【請求項８】
請求項7に記載の履物において、さらに
前記各挿入片に係止孔が開けられ、
前記各挿入片が前記挿入孔を貫通した状態において、前記係止孔を係止できる位置で、前記アウトソール部裏面の中央凹みの底に係止突起が形成されること特徴とする履物。
【請求項９】
請求項7記載の履物において、さらに
前記各挿入片先端部に係止爪、または、係止くびれが形成され、
前記各挿入片が前記挿入孔を貫通した状態において、前記係止爪、または、係止くびれを係止できる位置で、前記アウトソール部裏面の中央凹みの底に係止受け部が形成されることを特徴とする履物。
【請求項１０】
請求項7記載の履物において、さらに
各挿入片先端部に係止爪が形成され、
前記挿入片が前記挿入孔に挿入される際に狭まり、貫通する際に広がる形状を有し、前記各挿入孔そのものが係止受け部となることを特徴とする履物。
【手続補正２】
【補正対象書類名】明細書
【補正対象項目名】００１５
【補正方法】変更
【補正の内容】
【００１５】
第十発明は、第二、第七、第八発明の履物において、さらに、前記嵌合突起と前記嵌合孔が、係止形状になっていることを特徴とする履物である。
そして請求項1の発明は、履物を構成し地面に接する部位を有するアウトソール部と、このアウトソール部に着脱可能で足の甲を跨ぐ部位を有するアッパー部と、前記着脱のために、前記アッパー部の周囲に弾性を有する材料から成る挿入片が複数形成され、前記アウトソール部上面の中央に形成された凹みと、前記アウトソール部の周囲から前記中央凹みに向かって前記アッパー部の装着が行われた状態における前記各挿入片の位置に前記各挿入片が挿入され貫通する挿入孔が形成され、前記各挿入孔同士の間に前記アウトソール部の周囲からから内側に向かって、アッパー部が装着された際に各挿入片をつなぐ部分が嵌る溝が形成され前記挿入片が前記中央凹みに向かって前記挿入孔に挿入されることにより前記アッパー部が前記アウトソール部に装着されることで着脱可能となることを特徴とする履物である。
そして請求項2の発明は、請求項１記載の履物において、さらに前記各挿入片に係止孔が開けられ前記各挿入片が前記挿入孔を貫通した状態において、前記係止孔を係止できる位置で、前記アウトソール部上面の中央凹みの底に係止突起が形成されることを特徴とする履物。
そして請求項３の発明は、請求項１記載の履物において、さらに前記各挿入片先端部に係止爪または、係止くびれが形成され、前記各挿入片が前記挿入孔を貫通した状態において、前記係止爪または、係止くびれを係止できる位置で、前記アウトソール部上面の中央凹みの底に係止受け部が形成されることを特徴とする履物。
そして請求項４の発明は、請求項１記載の履物おいて、さらに前記アウトソール部上面に装着されるインソール部を有し、前記各挿入片に係止孔が開けられ、前記挿入片が前記挿入孔を貫通した状態において、前記係止孔と重なる位置で、前記アウトソール上面の中央凹みの底に嵌合孔が形成され、前記アウトソール部に前記アッパー部および前記インソール部が装着された状態において、前記係止孔を貫通し前記嵌合孔に嵌合できる位置で前記インソール部に嵌合突起が形成されることを特徴とする履物。
そして請求項５の発明は、請求項１記載の履物おいて、さらに前記アウトソール部上面に装着されるインソール部を有し、前記各挿入片先端部に係止爪または、係止くびれが形成され、前記アウトソール部に前記アッパー部および前記インソール部が装着された状態において、前記係止爪または、係止くびれを係止できる位置で前記インソール部に係止受け部が形成されることを特徴とする履物。
そして請求項６の発明は、請求項１に記載の履物において、さらに各挿入片先端部に係止爪が形成され、前記挿入片が前記挿入孔に挿入される際に狭まり、貫通する際に広がる形状状を有し、前記各挿入孔そのものが係止受け部となることを特徴とする履物である。
そして請求項７の発明は、請求項１記載の履物において前記アウトソール部上面の中央に代えて前記アウトソール部裏面の中央に凹みが形成されされることで着脱可能となることを特徴とする履物である。
そして請求項８の発明は、請求項7に記載の履物において、さらに前記各挿入片に係止孔が開けられ、前記各挿入片が前記挿入孔を貫通した状態において、前記係止孔を係止できる位置で、前記アウトソール部裏面の中央凹みの底に係止突起が形成されること特徴とする履物である。
そして請求項９の発明は、請求項7記載の履物において、さらに前記各挿入片先端部に係止爪、または、係止くびれが形成され、前記各挿入片が前記挿入孔を貫通した状態において、前記係止爪、または、係止くびれを係止できる位置で、前記アウトソール部裏面の中央凹みの底に係止受け部が形成されることを特徴とする履物である。
そして請求項10の発明は、請求項7記載の履物において、さらに各挿入片先端部に係止爪が形成され、前記挿入片が前記挿入孔に挿入される際に狭まり、貫通する際に広がる形状を有し、前記各挿入孔そのものが係止受け部となることを特徴とする履物である。
【手続補正３】
【補正対象書類名】明細書
【補正対象項目名】００２７
【補正方法】変更
【補正の内容】
【００２７】
第十発明によれば、第二、第七、第八発明の履物において、さらにインソール部または裏蓋に形成された嵌合突起とアウトソール部に形成された嵌合孔が、係止形状になっていることから、嵌合突起が嵌合孔からより外れにくく、すなわち、インソール部または裏蓋がアウトソール部から外れるのを防止することで、さらに挿入片の挿入孔からに抜け止めを図っている。
請求項1及び請求項２、３、或いは、請求項７及び請求項８、９の発明によれば、アウトソール部にアッパー部を装着する際には、アッパー部の各挿入片を、アウトソール部の各挿入孔に挿入する。挿入片が挿入孔へ挿入される方向は、従来のように上下方向ではなく、アウトソール部の周囲から内側へ向かい、アウトソール部上面、或いは、裏面の中央に形成された凹みに貫通後、挿入片を挿入方向へさらに伸長させ、各挿入片に形成された係止孔が凹み底に配置された係止突起に、或いは、係止爪または係止くびれが、凹み底に配置された係止受け部、すなわち係止爪または係止くびれが引っ掛かる突起または各挿入片と逆の凹凸によって係止される。この係止によって挿入片は、挿入孔から抜けにくくなる。さらに、挿入片は、挿入孔によって自由な動きが規制される。これらのことから、アッパー部の抜けが十分に防止できる。
すなわち、挿入片の挿入のためのスペースは大きい程、アッパー部とアウトソール部の接続部分を広く取れるため、アッパー部のアウトソール部への装着を強固にできることから、挿入片を下方ではなく内側に向かわせることにより、大きく必要なスペースを略水平にとることで、アッパー部の抜けが十分に防止できる上、アウトソールの上下方向のスペースを小さくでき、よって、履物の薄型化を図ることができる。
また、係止孔それぞれが係止突起によって、或いは係止爪、係止くびれがそれぞれ係止受け部によって係止され、挿入孔によって挿入片の自由な動きが規制されることで、各挿入片一つ一つの抜け止めを図っているが、仮にその一つについて、係止が外れたとしても、隣り合った挿入片が、纏まって外れない以上、挿入片が挿入孔から抜けることはなく、すなわちアッパー部とアウトソール部の装着が外れない構造になっている為、全体重が掛かる履物の安全を十分配慮したものとなっている。
また、アッパー部の各挿入片の間を繋ぐ部分が、アウトソール部の各挿入孔の間に
形成された溝に嵌ることで、挿入片が設けられていない部分もアウトソール部の中央方向に固定され、歩行時に挿入片間の端が障害物に引っ掛かったりしてアッパー部が外れることもなく、加えてアッパー装着後の外観も、一般の靴との見分けのつかない構造になっている。
そして、アウトソール部からアッパー部を外す際には、各係止突起から各係止孔を或いは係止受け部から係止爪、係止くびれを外す。その後に、挿入片を引っ張ると、挿入片が挿入孔から抜け、アッパー部を外すことができる。
これらの構造により、着脱可能に装着される履物のアッパー部の抜けを十分に防止できる上、履物の薄型化を図ることができる。
請求項1及び請求項４、５によればインソール部の装着によりインソール部に形成された嵌合突起がアッパー部の各挿入片に開けられた係止孔を、或いは、インソール部に形成された係止受け部がアッパー部の各挿入片に形成された係止爪、係止くびれを係止することで挿入片の挿入孔からの抜け止めを図ることが出来る。
すなわち、請求項４では挿入片が挿入孔へ挿入され、中央凹みに貫通後、インソール部に形成された嵌合突起が挿入片の係止孔を貫通しアウトソール中央凹みの嵌合孔に嵌合されることで、一方請求項５では挿入片が挿入孔へ挿入され、中央凹みに貫通後、インソール部に形成された係止爪または係止くびれが引っ掛かる突起または各挿入片と逆の凹凸の係止受け部によって係止されることで請求項1及び請求項２、３同様挿入片は挿入孔から抜けにくくなり、着脱可能に装着される履物のアッパー部の抜けを十分に防止できる上、履物の薄型化を図ることができる。
請求項1及び６、或いは、請求項７及び10によれば請求項1及び２、３、４、５或いは請求項７及び８、９における係止受け部または係止突起のような挿入片をアウトソール部に装着させる機構を設けることなく、挿入片に形成された係止爪が、前記挿入孔に挿入される際に狭まり、貫通する際に広がる形状を有することで、挿入孔そのものが係止受け部となり、挿入片が中央の凹みに貫通すると同時に係止されることにより、挿入片の挿入孔からの抜け止めを図ることが出来る。
すなわち、挿入片が挿入孔へ挿入され、中央の凹みに貫通することで挿入片に形成された係止爪によって挿入片が係止される。この係止により、挿入片は挿入孔から抜けにくくなり、着脱可能に装着される履物のアッパー部の抜けを十分に防止できる上、請求項1及び２、３、４、５或いは請求項７及び８、９同様履物の薄型化を図ることができる。